(57)【要約】【課題】通気性を損なうことなく花粉等の微粒子を防ぐ、耳に装着するマスクを提供する。【解決手段】耳孔に挿入されるフィルター部３と、取り出し用のつまみ１５で形成され不織布４等で構成された、耳孔に装着して使用するマスクであることを特徴とする。【選択図】図１
2019162509.tif 000002
【特許請求の範囲】
【請求項１】
耳孔のサイズに合わせたフィルター部により形成される、耳に入れて使用することを特徴とする、耳孔に装着するマスク。
【請求項２】
耳孔のサイズに合わせたフィルター部により形成される、耳に入れて使用することを特徴とするマスクで、取り出し用の、つまみまたは紐等の突出部または形状を有することを特徴とする、請求項１に記載の耳孔に装着するマスク。
【請求項３】
耳孔のサイズに合わせたフィルター部により形成される、耳に入れて使用することを特徴とするマスクで、不織布またはフィルター機能を持つ材料で形成することを特徴とする、請求項１または２のいずれかに記載の耳孔に装着するマスク。
【請求項４】
耳孔のサイズに合わせたフィルター部により形成される、耳に入れて使用することを特徴とするマスクで、積層であることを特徴とする、請求項１〜３のいずれかに記載の耳孔に装着するマスク。
【請求項５】
耳孔のサイズに合わせたフィルター部により形成される、耳に入れて使用することを特徴とするマスクで、積層部のサイズを変えることを特徴とする、請求項１〜請求項４のいずれかに記載の耳孔に装着するマスク。
【請求項６】
耳孔のサイズに合わせたフィルター部により形成される、耳に入れて使用することを特徴とするマスクで、襞または波状形またはたわみを有することを特徴とする、請求項１〜５のいずれかに記載の耳孔に装着するマスク。
【請求項７】
耳孔のサイズに合わせたフィルター部により形成される、耳に入れて使用することを特徴とするマスクで、粘着部を有することを特徴とする、請求項１〜６のいずれかに記載の耳孔に装着するマスク。
【請求項８】
耳孔のサイズに合わせたフィルター部により形成される、耳に入れて使用することを特徴とするマスクで、耳掛け用のフレームを設けることを特徴とする、請求項１〜７のいずれかに記載の耳孔に装着するマスク。
【請求項９】
耳孔のサイズに合わせたフィルター部により形成される、耳に入れて使用することを特徴とするマスクで、切れ目または切れ込みを有することを特徴とする、請求項１〜８のいずれかに記載の耳孔に装着するマスク。
【請求項１０】
耳孔のサイズに合わせたフィルター部により形成される、耳に入れて使用することを特徴とするマスクで、フィルター部と取り出し用の突出部またはつまみが単一のシート材から一体的に成形されていることを特徴とする、請求項１〜９のいずれかに記載の耳孔に装着するマスク。
【請求項１１】
耳孔のサイズに合わせたフィルター部により形成される、耳に入れて使用することを特徴とするマスクで、平面状に形成されていることを特徴とする、請求項１〜１０のいずれかに記載の耳孔に装着するマスク。
【発明の詳細な説明】
【技術分野】
【０００１】  本発明は耳に装着するマスクに係り、特に耳に装着するマスク及びに耳孔に装着するマスクに関する。
【背景技術】
【０００２】  従来、花粉、アレルゲン物質等の微粒子が耳内に直接侵入することを防止するための１回使用ないし数回使用を目的とした使い捨てタイプまたは繰り返し使用可能なタイプの耳用のマスクは無かった。
また、その目的を果たすために従来は、耳栓、ディスポーザーキャップ等の衛生帽子、保温用のイヤーパッド、耳あて等で代用されていた。
【発明の概要】
【発明が解決しようとする課題】
【０００３】  従来、耳内に微粒子等が直接侵入することを防止するために使用されていた代用品にはそれぞれ次のような欠点があった。
耳栓は、花粉、ホコリ等の耳内への侵入を防ぐことはできたが、周囲の音が聞こえなくなり、外出時や車の運転時に安全面で問題があった。
ディスポーザーキャップ等の衛生帽子は、耳まで覆うことができるが日常生活においては帽子は不要であり外出時には外見上やファッション面で問題があった。
保温用の耳に着用するイヤーパッドは、保温が目的であり、素材が厚く通気性が悪く、周囲の音が聞き取りにくくなることによる外出時や車運転時の安全面での問題は耳栓と同様だった。
そして花粉が一番多く飛来する春夏等の気温が高い季節には着用が困難であった。また着用しても耳に熱と湿度がこもり耳内の細菌を増殖させる原因になっていた。
いずれも、花粉が耳内に侵入することを防ぐ目的で作られた製品ではなかった。
本発明はこのような点に鑑みて創案されたものであり、耳内に直接花粉、アレルゲン物質、等の微粒子が侵入することを防止または軽減するのに有効な技術を提供する
ことを目的とする。
【課題を解決するための手段】
【０００４】  上記課題を達成するため、各請求項に記載の発明が構成される。【０００５】  本発明の耳に装着するマスクは、１回の使用ないし数回使用を目的とした使い捨てのタイプのマスクであってもよいし、洗濯等を行うことによって繰り返し使用可能なタイプの耳に装着するマスクであってもよい。【０００６】  耳孔に装着するマスクについて説明する。【０００７】  本発明に係る耳孔に装着するマスクは、耳孔のサイズまたは形状に合わせて形成されたフィルター部を有することを特徴とする耳に入れて使用する耳孔装着型マスクである。【０００８】  耳孔に装着するマスクにおいては、耳孔に挿入されるフィルター部と、取り出し用のつまみ、または紐、または形状等で形成される突出部から構成されている。
突出部に限らず、切れ込みや本体と一体的な棒状等の長い形状等を取り出し用のつまみとすることも可能である。
フィルター部の形状は下記記載のいずれの場合も、立体的または平面的に形成することができる。【０００９】  耳孔に装着するマスクにおいては、フィルター部を不織布またはフィルター機能を持つ材料で形成している。
フィルター部のシート材は、上記耳に被せるマスクと同様の素材が好適である。【００１０】  耳孔に装着するマスクの更なる形態においては、フィルター部が積層により形成されている。
複数枚の不織布またはフィルター素材、またはその両方を重ねたシートの中央部を接合している。
耳孔の奥に挿入する側から順に、小、中、大のサイズにしたシートを重ねることによる積層の構造で隙間の発生を防止し、微粒子の捕集効果を高めている。【００１１】  耳孔に装着するマスクの更なる形態においては、フィルター部に襞または波状形またはたわみを有している。
これにより、挿入時には、この形状自体がフィルターの役割をすると同時に隙間を防止している。【００１２】  耳孔に装着するマスクの更なる形態においては、本体部の耳に接する一部または全部に低アレルゲン等の粘着部を有している。
これにより、隙間の発生を防止している。【００１３】  耳孔に装着するマスクの更なる形態においては、本体部に耳に掛けるフレームを有している。
これにより、本体の脱落を防止している。【００１４】  耳孔に装着するマスクの更なる形態においては、フィルター部に切れ目または切れ込みを有する形状で形成している。
これにより、耳孔挿入時に発生するシート材のたわみによる隙間の発生を防止している。【００１５】  耳孔に装着するマスクの更なる形態においては、フィルター部とつまみ部を単一のシート材から一体的に成形していることにより製造が容易になっている。【００１６】  耳孔に装着するマスクの更なる形態においては、フィルター部とつまみ部が平面状に形成されている。
この形状の特徴から非着用時には平面的に収納され、着用時に耳孔に挿入することで形状が立体的に展開する。【００１７】  耳に被せるマスク、耳孔に装着するマスクともに、記載される構成と形成の、一部または全部を組み合わせることにより。その効果及びに機能を高めることができる。
【発明の効果】
【００１８】  本発明に係る耳に装着するマスクにより、音の伝わりや通気性を損なわずに、花粉等の微粒子が耳内に直接侵入することを防ぐことができる。
従来使用されていた代用物を使用する際に生じていた通気性、遮断性、捕集性等の機能と、音の聞き取りやすさの安全面、外見面等において両立が困難であった着用時の問題を解決することができる。
通気性をよくして着用による蒸れを防止すると同時に、耳から直接侵入する花粉等のアレルゲン物質、細菌、ＰＭ２．５、等の侵入を軽減または防止することができる。
それらの機能により耳内の痒みや花粉アレルギー、かぶれの発生を予防する。
また、花粉等を原因とする耳内のかぶれや痒みで耳の中を過剰に掃除することによる細菌の付着や外耳炎を予防することに一定の役割を果たすことができる。
【図面の簡単な説明】
【００１９】
【図１】本発明にかかる耳孔装着型マスクの非着用面側から見た斜視図である。
【図２】図１の構造の変更例を示す、非着用面側から見た斜視図である。
【図３】図２の構造の変更例を示す、非着用面側から見た分解斜視図である。
【図４】図３の構造の一部変更例を示す、側面側から見た断面図である。
【図５】図３の構造の一部変更例を示す、非着用面から見た分解斜視図である。
【図６】図１の構造の変更例を示す、非着用面側から見た斜視図である。
【図７】図１の構造の一部変更例を示す、非着用面側から見た斜視図である。
【図８】図１の構造の変更例を示す、非着用面側から見た斜視図である。
【図９】図１の構造の変更例を示す、非着用面側から見た平面図である。
【図１０】図１の構造の変更例を示す、非着用面側から見た斜視図である。
【図１１】図９の形状の変更例を示す、非着用面側から見た斜視図である。
【図１２】本発明にかかる耳孔装着型マスクが着用されたときの状態を表す模式図。
【発明を実施するための形態】
【００２０】  以下、本発明の耳用マスクの実施の形態について、図１から図１２を参照して説明する。
【００２１】  本発明の耳用マスクは、１回〜数回の使用を想定した使い捨て耳用マスクとして構成されている。また、本実施の形態の耳用マスクは耳に直接侵入する花粉対策、細菌対策、ＰＭ２．５等の微粒子対策、それらが耳に入ることによる耳の痒み、アレルギー反応やかぶれ、外耳炎予防等の耳孔内の環境改善等の種々の用途に使用可能である。
【００２２】  本発明の実施の別形態の耳孔に装着するマスクについて、図１から図１２を参照して説明する。
【００２３】図１は、立体的に成形されるフィルター部３に、取り出し用つまみ１５を有する耳孔に装着するマスクを非着用面側から見た図である。
通気性と捕集性のよい不織布４で立体的に成形したフィルター部３と、そこから突出したつまみ１５と切れ込み１８で構成されている。
これにより耳に被せるマスクとは異なり、気温の高い春夏でも更に蒸れにくく快適に着用使用することができる。フィルター部３を耳孔にのみ絞って形成された耳孔に装着するマスクである。
切れ込み１８の形状や有無はフィルター部３の形状と材料の質によって適宜変更できる
つまみ１５は本発明を耳内から取り出すことができれば突出部が紐や帯でもよく、種々の形状、接合法を用いることができる。
内側への切れ込みにより形成される形状や、長い楕円形やひょうたん形、棒状、等にした本体部の形と突出部が一体化している形状をつまみとしてもよい。
本体部であるフィルター部３の材料には、ポリプロピレン、ポリエチレン、ポリエステル、ポリオレフィン、ポリウレタン、ナイロン、レーヨン、綿ガーゼ等の不織布または織布を用いて形成する。
フィルター素材５には、前記の耳に被せるマスクと同様の種々の素材やシート等を用いることができる。
好適には、通気性、捕集性、遮断性のよい不織布またはフィルター素材または両方を重ねたシートで形成することを典型的な構成とする。
本体部であるフィルター部３は立体的または平面状に成形される。
これが耳孔に装着するマスクの基本的な構成である。
【００２４】図２は、フィルタ−部３を平面状に成形しつまみ１５を接合した耳孔に装着するマスクを非着用面側から見た図である。
平面上に成形したフィルター部３を不織布４で形成し切れ込み１８を有し、つまみ１５を接合部２４で接合している。
平面的に成形することで、耳孔への挿入時に立体的に展開される形状となっている。
これにより、収納時のスペースに厚み幅をとらずに持ち運びができる。
切れ込み１８が耳孔挿入時に広がり、たわみによる隙間の発生を防止している。
【００２５】図３は、平面状に成形されたフィルター部３を積層にした耳孔に装着するマスクを非着用面から見た分解斜視図である。
切れ込み１８を有し、平面状に成形された、不織布４の外側層２３、フィルター素材５の中間層２２、耳孔に挿入する不織布４の内側層２１の三層に積層された積層シートにより形成される。
外側層２３、中間層２２、内側層２１、の順に大、中、小、の大きさで形成されている。
これは中央部のみを接合した場合において、耳内挿入時に耳孔内で発生するたわみや隙間を外側部が覆う役割を持っている。
外側層、中間層、内側層、のサイズだけではなく、形状、サイズの順番、材料、網目、シート材の柔軟度、内側層の中央部分に切れ込みを入れる、切れ込みの深さ、切れ込みの配置を互い違いにする等を組み合わせることで、隙間の発生を防ぐ効果を高めることができる。
接合部は中央部でなくともよく、辺部や全面をどのように接合または成形してもよい。
中央部で接合する場合には、シート間を密着させて接合する場合と、３層を約２〜３ミリ程度ずつ間隔をあけて接合すること等が可能である。
立体的構造でも平面状構造でも積層にすることができる。
つまみ１５の位置は外側、中間、内側のいずれでもよい。
【００２６】図４は、図３の積層タイプで各層のサイズを変更しない場合の耳孔に装着するマスクの断面図である。
外側層に不織布４、中間層にフィルター素材５、内側層に不織布４を有して取り出し部であるつまみ１５は外側層の端部に突出部を設け一体的に成形されている。
【００２７】図５は、図３の切れ込み１８の形状を花弁形にした耳孔に装着するマスクの分解斜視図である。
花弁形にし、切れ込み１８も深いことで直線の切れ込みよりも耳孔挿入時に発生する内側層のたわみに押し出されにくくなっている。
花弁形は、一体的な成形でも後から接合された物でもよい。
【００２８】図６は立体的に構成されフィルター部３が花弁形になっており、波状形部１６と折り返し部２６を有する耳孔に装着するマスクの非着用面側から見た図である。
ツツジや椿の花弁を裏返しにしたようなタイプの形状であり、波状形部１６や最初からたわみや襞を有していることにより隙間の発生を防ぐ形状の１形態である。切れ込みをいれてもよい。
これは比較的柔軟性の高い不織布４やフィルター素材５で形成する。
【００２９】図７は、回転放物面を有する立体的な構造のフィルター部３の本体に取り出し用の紐部１７と切れ込み１８を設け、耳と接する面側に粘着部８を有する、耳孔に装着するマスクの非着用面側から見た図である。
低アレルゲン等の粘着部を有することで、アレルギー症状に配慮しながら耳と本体部の隙間を防止している。
【００３０】図８は、フィルター部３本体に耳掛けフレーム部２７を有した耳孔に装着するマスクを非着用面側から見た図である。
立体的または平面的な構造のフィルター部３に、耳の形状に合わせた耳掛けフレーム部２７を有し、耳と本体を固定する。
耳との立体的な調整はアーム部２５を曲げて行う。
この耳掛けフレーム２７は固定式でも脱着式でもよく、脱着式の場合は端部に本体部の立体的形状部分を挟み込んで装着するための切れ目を入れた輪やリング状またはその他の形状や構造を有する。
固着式の場合には、普通の口鼻用マスクのノーズフィッター部等で使用される材料や紙、樹脂等で耳掛けフレーム形状を形成し本体部と接合する。
ポリエチレンン等の不織布で一体的に成形してもよい。
材料はいかなる材料を使用してもよい。
別の例としては、弾性体６等のリング状のゴム紐をフィルター部本体に設けて、本体部であるフィルター部３の落下を防止する等の方法が可能である。
【００３１】図９は、本体部であるフィルター部３とつまみ１５を、単一のシート材から一体的に成形した、耳孔に装着するマスクを正面から見た図である。
平面状に成形され切れ込み１８を有している。
フィルター部３とつまみ１５を、単一のシート材から一体的に平面状に成形していることで製造が容易であると同時に、持ち運び時に厚みが無く、財布のカードケースや、手帳、手帳型スマートフォンケースのカード入れ、胸ポケット等に入れて持ち運ぶことが可能である。
未使用時には平面状に収納され、使用時に耳孔内で立体的に展開される。
一例として、本体部に山折り線、谷折り線等をつけて立体的展開を容易にする形状で成形すること等が可能である。
材料は不織布４やフィルター素材５等のシートで成形され、ポリプロピレン、ポリエチレン、ポリエステル、ポリオレフィン、ポリウレタン、ナイロン、レーヨン、等の不織布または織布や材料等で形成される。
前記の別例のようにシート材を積層にした構成でも形成できる。
切れ込み１８や取り出しつまみ１５の配置や形状等も種々の方法を用いることができる。
【００３２】図１０は、本体部であるフィルター部３に襞やたわみ、波状形部１６を有する立体的な構造で形成され、取り出し紐部１７を有する耳孔に装着するマスクを非着用面側から見た図である。
泡立てネットで使用される形状と同様の形状である。
製造方法としては、数枚のシートまたは波状形を有する袋やネット状にした不織布４を蛇腹折りにする、不定形に折り曲げる等にして束ねた物を紐部１７で結び、それを広げて襞や波状形部１６を形成する等、泡立てネットを作成する際に使用される種々の製造方法がある。
またティッシュペーパーのシートを使用して薔薇等の造花を作成する際に用いられる製造方法や形状でもよい。
泡立てネット、ティッシュペーパーまたは普通の造花作成の際に用いられる種々の製造方法、形状、構成が可能である。
【００３３】図１１は、フィルター部３本体部と切れ込み１８を花形及びに花弁形に成形した耳孔に装着するマスクを非着用面から見た図である。
桜やコスモス、ガーベラ等の種々の花の形にすることで、アクセサリー性を高めることができる。
切れ込み１８の付け根部分を曲線にする花形でもよい。
着色して実際の花に近い形状と色にすることができる。デザインの一例である。
【００３４】  脱脂綿や不織布またはフィルター素材等を円柱形等の棒状にして弾性を持たせた耳栓形の耳孔に装着するマスクとしてもよい。
この場合もサイズは耳孔に合わせたサイズで成形される。
【００３５】図１２は、耳孔に装着するマスクを着用時の模式図である。
【００３６】  普通の口鼻用マスクに本発明の耳に被せるマスク、耳孔に装着するマスクを有する構成も可能である。
【００３７】  本発明は、実施の形態で説明した構成に限定されず、種々の変更、追加、削除が可能である。
【００３８】  耳孔に装着するマスクに係る形成等には以下の構成を用いることができる。
本体部、フィルター部、材料、つまみ部、紐部、切れ込み部、積層部、粘着部、フレーム部、一体的な成形部、立体的成形部、平面状成形部としては種々の構成の本体部、フィルター部、材料、つまみ部、紐部、切れ込み部、積層部、粘着部、フレーム部、一体的な成形部、立体的成形部、平面状成形部を用いることができる。
本体部、フィルター部、材料、つまみ部、紐部、切れ込み部、積層部、粘着部、フレーム部、一体的な成形部、立体的成形部、平面状成形部は種々の材料を用いて、また種々の方法や組み合わせを用いて形成することができる。
さらに、本体部、フィルター部、材料、つまみ部、紐部、切れ込み部、積層部、粘着部、フレーム部、一体的な成形部、立体的成形部、平面状成形部の成形部を接合する方法としては、種々の接合方法を用いることができる。
本体部、フィルター部、材料、つまみ部、紐部、切れ込み部、積層部、粘着部、フレーム部、一体的な成形部、立体的成形部、平面状成形部の形状等は、適宜変更可能である。
フィルター部、材料、つまみ部、紐部、切れ込み部、積層部、粘着部、フレーム部、一体的な成形部、立体的成形部、平面状成形部の配置位置等、組み合わせは、適宜変更可能である。
耳孔に装着するマスク本体部のフィルター部は、平面的な構造であってもよいし、立体的な構造であってもよい。
図は一例としての、立体構造フィルター部１９と平面構造フィルター部２０である。
実施の形態で説明した各構成は、単独で用いることもできるし、適宜選択した複数の構成を組み合わせて用いることもできる。
【符号の説明】
【００３９】３・・・・・フィルター部
４・・・・・不織布
５・・・・・フィルター素材
８・・・・・粘着部
１５・・・・・つまみ
１６・・・・・波状形部
１７・・・・・紐部
１８・・・・・切れ込み
１９・・・・・立体構造フィルター部
２０・・・・・平面構造フィルター部
２１・・・・・内側層
２２・・・・・中間層
２３・・・・・外側層
２４・・・・・接合部
２５・・・・・アーム部
２６・・・・・折り返し部
２７・・・・・耳掛けフレーム部
１０１・・・・・耳孔に装着するマスク本体
【図１】
2019162509.tif 000003
【図２】
2019162509.tif 000004
【図３】
2019162509.tif 000005
【図４】
2019162509.tif 000006
【図５】
2019162509.tif 000007
【図６】
2019162509.tif 000008
【図７】
2019162509.tif 000009
【図８】
2019162509.tif 000010
【図９】
2019162509.tif 000011
【図１０】
2019162509.tif 000012
【図１１】
2019162509.tif 000013
【図１２】
2019162509.tif 000014